(57)【要約】【課題】ユーザが、タッチセンサによる選択肢の選択操作から操作キーによる選択肢の選択操作にスムーズに移行できるようにする。【解決手段】処理実行部５４は、表示部に選択肢が表示されており、強調表示されている選択肢が存在しない際に、強調表示に対応付けられている操作部の操作入力を受け付けた場合は、タッチセンサにおける位置の検出履歴に基づいて特定される位置に配置されている選択肢を強調表示させる。処理実行部５４は、強調表示されている選択肢が存在する際に、強調表示されている選択肢に応じた処理の実行に対応付けられている操作部の操作入力を受け付けた場合は、強調表示されている選択肢に応じた処理を実行する。【選択図】図３
2014044593.tif 000002
【特許請求の範囲】
【請求項１】
タッチセンサと、
前記タッチセンサとは異なる操作部と、
処理を実行する処理実行部と、を含み、
前記処理実行部は、
表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、
強調表示されている選択肢が存在する際に、強調表示されている選択肢に応じた処理の実行に対応付けられている前記操作部の操作入力を受け付けた場合は、前記強調表示されている選択肢に応じた処理を実行する、
ことを特徴とする情報処理装置。
【請求項２】
前記処理実行部は、前記操作部の操作入力を受け付けた時点の直前の前記タッチセンサでの検出位置に対応付けられる前記表示部での位置から最も近い位置に配置されている選択肢を強調表示させる、
ことを特徴とする請求項１に記載の情報処理装置。
【請求項３】
強調表示されている選択肢が存在する際の操作入力に応じて実行される処理が互いに異なる複数の操作部を含み、
前記処理実行部は、前記表示部に選択肢が表示されており、強調表示されている選択肢が存在しない際に、前記複数の操作部のいずれかの操作入力を受け付けた場合は、いずれの操作部の操作入力を受け付けたかに関わらず、当該操作入力を受け付けた時点の直前の前記タッチセンサでの検出位置に対応付けられる前記表示部での位置から最も近い位置に配置されている選択肢を強調表示させる、
ことを特徴とする請求項２に記載の情報処理装置。
【請求項４】
前記処理実行部は、
前記表示部に選択肢が表示されており、選択肢を強調させる強調画像が表示されていない際に、強調画像の表示に対応付けられている前記操作部の操作入力を受け付けた場合は、前記タッチセンサにおける位置の検出履歴に基づいて特定される位置に配置されている選択肢を強調させる強調画像を前記表示部に表示させ、
前記表示部に前記強調画像が表示されている際に、強調画像により強調されている選択肢に応じた処理の実行に対応付けられている前記操作部の操作入力を受け付けた場合は、前記強調画像により強調されている選択肢に応じた処理を実行する、
ことを特徴とする請求項１から３のいずれか一項に記載の情報処理装置。
【請求項５】
前記処理実行部は、前記強調画像が前記表示部に表示されている際に、前記操作部の操作入力を最後に受け付けてから予め定められた時間が経過した場合に、前記表示部に前記強調画像による強調の対象となっている選択肢が表示される状態を維持しつつ、当該強調画像が前記表示部に表示されないよう制御する、
ことを特徴とする請求項４に記載の情報処理装置。
【請求項６】
前記処理実行部は、選択肢に応じた処理が実行可能である選択肢と実行不可能である選択肢とを含む複数の選択肢、並びに、いずれかの選択肢を強調させる前記強調画像が前記表示部に表示されている際に、強調画像の移動に対応付けられている前記操作部の操作入力を受け付けた場合は、他の選択肢が強調される位置に前記強調画像が表示されるよう、前記強調画像の表示位置を変化させ、
選択肢に応じた処理が実行可能である選択肢を強調させる位置にも実行不可能である選択肢を強調させる位置にも前記強調画像の表示位置が変更可能である、
ことを特徴とする請求項４又は５に記載の情報処理装置。
【請求項７】
前記処理実行部は、前記表示部に前記強調画像が表示されていない状態から当該強調画像が表示される状態に変化させる際に、選択肢に対応付けられる選択肢対応領域を一部に占める当該選択肢対応領域よりも大きな領域に前記強調画像が配置されている状態を経て、当該選択肢対応領域に前記強調画像が配置されている状態に変化させる、
ことを特徴とする請求項４から６のいずれか一項に記載の情報処理装置。
【請求項８】
前記処理実行部は、前記表示部に前記強調画像が表示されていない状態から当該強調画像が表示される状態に変化させる際に、選択肢に対応付けられる選択肢対応領域の一部を占める、当該選択肢対応領域よりも小さな領域に前記強調画像が配置されている状態、当該選択肢対応領域を一部に占める当該選択肢対応領域よりも大きな領域に前記強調画像が配置されている状態を経て、当該選択肢対応領域に前記強調画像が配置されている状態に変化させる、
ことを特徴とする請求項４から６のいずれか一項に記載の情報処理装置。
【請求項９】
タッチパネルと、
前記タッチパネルとは異なる操作部と、
処理を実行する処理実行部と、を含み、
前記処理実行部は、
前記タッチパネルに選択肢が表示されており、強調表示されている選択肢が存在しない際に、強調表示に対応付けられている前記操作部の操作入力を受け付けた場合は、前記タッチパネルにおける位置の検出履歴に基づいて特定される位置に配置されている選択肢を強調表示させ、
強調表示されている選択肢が存在する際に、強調表示されている選択肢に応じた処理の実行に対応付けられている前記操作部の操作入力を受け付けた場合は、前記強調表示されている選択肢に応じた処理を実行する、
ことを特徴とする情報処理装置。
【請求項１０】
タッチセンサの操作入力を受け付ける第１の受付ステップと、
前記タッチセンサとは異なる操作部の操作入力を受け付ける第２の受付ステップと、
表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させる表示制御ステップと、
強調表示されている選択肢が存在する際に、強調表示されている選択肢に応じた処理の実行に対応付けられている前記操作部の操作入力を受け付けた場合は、前記強調表示されている選択肢に応じた処理を実行する処理実行ステップと、
を含むことを特徴とする情報処理方法。
【請求項１１】
タッチセンサ、並びに、前記タッチセンサとは異なる操作部の操作入力を受け付ける受付部、
処理を実行する処理実行部、としてコンピュータを機能させ、
前記処理実行部は、
表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、
強調表示されている選択肢が存在する際に、強調表示されている選択肢に応じた処理の実行に対応付けられている前記操作部の操作入力を受け付けた場合は、前記強調表示されている選択肢に応じた処理を実行する、
ことを特徴とするプログラム。
【請求項１２】
タッチセンサ、並びに、前記タッチセンサとは異なる操作部の操作入力を受け付ける受付部、
処理を実行する処理実行部、としてコンピュータを機能させ、
前記処理実行部は、
表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、
強調表示されている選択肢が存在する際に、強調表示されている選択肢に応じた処理の実行に対応付けられている前記操作部の操作入力を受け付けた場合は、前記強調表示されている選択肢に応じた処理を実行する、
ことを特徴とするプログラムを記憶したコンピュータ読み取り可能な情報記憶媒体。
【発明の詳細な説明】
【技術分野】
【０００１】
本発明は、情報処理装置、情報処理方法、プログラム及び情報記憶媒体に関する。
【背景技術】
【０００２】
近年、操作入力デバイスとして、ボタン、方向キー、アナログコントローラ、等といった操作部（以下、操作キーと呼ぶ。）とともに、タッチセンサや、タッチセンサと表示部とが一体となったタッチパネルを備える情報処理装置が増えてきている。このような情報処理装置は、例えば、タッチセンサに複数の選択肢を表示し、これら複数の選択肢のうちからユーザによって選択される選択肢に応じた処理を実行する。
【０００３】
そして、このような情報処理装置には、ユーザが、選択肢の選択を、操作キーの操作によって行えるようにしたものと、タッチセンサの操作によって行えるようにしたものが存在する。
【０００４】
選択肢の選択を操作キーの操作によって行えるようにした情報処理装置は、まず、複数の選択肢を表示部に表示させるとともに、これら複数の選択肢のうちのいずれかを、選択中の選択肢として強調表示させる。そして、その後、情報処理装置は、選択中の選択肢を変更させる操作をユーザから受け付け、当該操作の受付に応じて、強調表示させる選択肢を変更する。そして、所望の処理に対応する選択肢が強調表示された際に、選択肢の決定操作をユーザから受け付けると、情報処理装置は、強調表示されている選択肢に応じた処理を実行することとなる。
【０００５】
一方、選択肢の選択をタッチセンサの操作によって行えるようにした情報処理装置は、まず、複数の選択肢を表示部に表示させる。そして、その後、情報処理装置は、タッチセンサを指等で叩くタップ操作をユーザから受け付けると、タップされた位置（タッチセンサにおける検出位置）に表示されている選択肢に応じた処理を実行することとなる。
【発明の概要】
【発明が解決しようとする課題】
【０００６】
タッチセンサによる選択肢の選択操作を行っていたユーザが、操作キーによる選択肢の選択操作に移行する場面で、いずれの選択肢も強調表示されていない場合は、いずれかの選択肢を強調表示させる必要がある。
【０００７】
ここで、それまでにタッチセンサに対して行われた操作の履歴に基づいて特定される選択肢を強調表示させるようにすると、ユーザは、タッチセンサによる選択肢の選択操作から操作キーによる選択肢の選択操作にスムーズに移行できると考えられる。しかし、従来の情報処理装置では、タッチセンサによる選択肢の選択操作から操作キーによる選択肢の選択操作へのスムーズな移行について充分な配慮がされているとは言えなかった。
【０００８】
本発明は上記課題に鑑みてなされたものであって、その目的の１つは、ユーザが、タッチセンサによる選択肢の選択操作から操作キーによる選択肢の選択操作にスムーズに移行できるようにすることにある。
【課題を解決するための手段】
【０００９】
上記課題を解決するために、本発明に係る情報処理装置は、タッチセンサと、前記タッチセンサとは異なる操作部と、処理を実行する処理実行部と、を含み、前記処理実行部は、表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、強調表示されている選択肢が存在する際に、強調表示されている選択肢に応じた処理の実行に対応付けられている前記操作部の操作入力を受け付けた場合は、前記強調表示されている選択肢に応じた処理を実行することを特徴とする。
【００１０】
また、本発明に係る別の情報処理装置は、タッチパネルと、前記タッチパネルとは異なる操作部と、処理を実行する処理実行部と、を含み、前記処理実行部は、前記タッチパネルに選択肢が表示されており、強調表示されている選択肢が存在しない際に、強調表示に対応付けられている前記操作部の操作入力を受け付けた場合は、前記タッチパネルにおける位置の検出履歴に基づいて特定される位置に配置されている選択肢を強調表示させ、強調表示されている選択肢が存在する際に、強調表示されている選択肢に応じた処理の実行に対応付けられている前記操作部の操作入力を受け付けた場合は、前記強調表示されている選択肢に応じた処理を実行することを特徴とする。
【００１１】
また、本発明に係る情報処理方法は、タッチセンサの操作入力を受け付ける第１の受付ステップと、前記タッチセンサとは異なる操作部の操作入力を受け付ける第２の受付ステップと、表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させる表示制御ステップと、強調表示されている選択肢が存在する際に、強調表示されている選択肢に応じた処理の実行に対応付けられている前記操作部の操作入力を受け付けた場合は、前記強調表示されている選択肢に応じた処理を実行する処理実行ステップと、を含むことを特徴とする。
【００１２】
また、本発明に係るプログラムは、タッチセンサ、並びに、前記タッチセンサとは異なる操作部の操作入力を受け付ける受付部、処理を実行する処理実行部、としてコンピュータを機能させ、前記処理実行部は、表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、強調表示されている選択肢が存在する際に、強調表示されている選択肢に応じた処理の実行に対応付けられている前記操作部の操作入力を受け付けた場合は、前記強調表示されている選択肢に応じた処理を実行することを特徴とする。
【００１３】
また、本発明に係る情報記憶媒体は、タッチセンサ、並びに、前記タッチセンサとは異なる操作部の操作入力を受け付ける受付部、処理を実行する処理実行部、としてコンピュータを機能させ、前記処理実行部は、表示部に選択肢が表示されており、強調表示されている選択肢が存在しない際に、強調表示に対応付けられている前記操作部の操作入力を受け付けた場合は、前記タッチセンサにおける位置の検出履歴に基づいて特定される位置に配置されている選択肢を強調表示させ、強調表示されている選択肢が存在する際に、強調表示されている選択肢に応じた処理の実行に対応付けられている前記操作部の操作入力を受け付けた場合は、前記強調表示されている選択肢に応じた処理を実行することを特徴とするプログラムを記憶したコンピュータ読み取り可能な情報記憶媒体である。
【００１４】
本発明では、表示部に選択肢が表示されており、強調表示されている選択肢が存在しない際に、強調表示に対応付けられている操作部の操作入力を受け付けた場合は、タッチセンサにおける位置の検出履歴に基づいて特定される位置に配置されている選択肢が強調表示される。また、表示部に強調画像が表示されている際に、強調表示されている選択肢に応じた処理の実行に対応付けられている操作部の操作入力を受け付けた場合は、強調表示されている選択肢に応じた処理が実行される。このようにして、本発明によれば、ユーザが、タッチセンサによる選択肢の選択操作から操作キーによる選択肢の選択操作にスムーズに移行できることとなる。
【００１５】
本発明の一態様では、前記処理実行部は、前記操作部の操作入力を受け付けた時点の直前の前記タッチセンサでの検出位置に対応付けられる前記表示部での位置から最も近い位置に配置されている選択肢を強調表示させることを特徴とする。
【００１６】
また、本発明の一態様では、強調表示されている選択肢が存在する際の操作入力に応じて実行される処理が互いに異なる複数の操作部を含み、前記処理実行部は、前記表示部に選択肢が表示されており、強調表示されている選択肢が存在しない際に、前記複数の操作部のいずれかの操作入力を受け付けた場合は、いずれの操作部の操作入力を受け付けたかに関わらず、当該操作入力を受け付けた時点の直前の前記タッチセンサでの検出位置に対応付けられる前記表示部での位置から最も近い位置に配置されている選択肢を強調表示させることを特徴とする。
【００１７】
また、本発明の一態様では、前記処理実行部は、前記表示部に選択肢が表示されており、選択肢を強調させる強調画像が表示されていない際に、強調画像の表示に対応付けられている前記操作部の操作入力を受け付けた場合は、前記タッチセンサにおける位置の検出履歴に基づいて特定される位置に配置されている選択肢を強調させる強調画像を前記表示部に表示させ、前記表示部に前記強調画像が表示されている際に、強調画像により強調されている選択肢に応じた処理の実行に対応付けられている前記操作部の操作入力を受け付けた場合は、前記強調画像により強調されている選択肢に応じた処理を実行することを特徴とする。
【００１８】
また、本発明の一態様では、前記処理実行部は、前記強調画像が前記表示部に表示されている際に、前記操作部の操作入力を最後に受け付けてから予め定められた時間が経過した場合に、前記表示部に前記強調画像による強調の対象となっている選択肢が表示される状態を維持しつつ、当該強調画像が前記表示部に表示されないよう制御することを特徴とする。
【００１９】
また、本発明の一態様では、前記処理実行部は、選択肢に応じた処理が実行可能である選択肢と実行不可能である選択肢とを含む複数の選択肢、並びに、いずれかの選択肢を強調させる前記強調画像が前記表示部に表示されている際に、強調画像の移動に対応付けられている前記操作部の操作入力を受け付けた場合は、他の選択肢が強調される位置に前記強調画像が表示されるよう、前記強調画像の表示位置を変化させ、選択肢に応じた処理が実行可能である選択肢を強調させる位置にも実行不可能である選択肢を強調させる位置にも前記強調画像の表示位置が変更可能であることを特徴とする。
【００２０】
また、本発明の一態様では、前記処理実行部は、前記表示部に前記強調画像が表示されていない状態から当該強調画像が表示される状態に変化させる際に、選択肢に対応付けられる選択肢対応領域を一部に占める当該選択肢対応領域よりも大きな領域に前記強調画像が配置されている状態を経て、当該選択肢対応領域に前記強調画像が配置されている状態に変化させることを特徴とする。
【００２１】
また、本発明の一態様では、前記処理実行部は、前記表示部に前記強調画像が表示されていない状態から当該強調画像が表示される状態に変化させる際に、選択肢に対応付けられる選択肢対応領域の一部を占める、当該選択肢対応領域よりも小さな領域に前記強調画像が配置されている状態、当該選択肢対応領域を一部に占める当該選択肢対応領域よりも大きな領域に前記強調画像が配置されている状態を経て、当該選択肢対応領域に前記強調画像が配置されている状態に変化させることを特徴とする。
【図面の簡単な説明】
【００２２】
【図１Ａ】本発明の一実施形態に係る情報処理装置の外観を示す正面図である。
【図１Ｂ】本発明の一実施形態に係る情報処理装置の外観を示す背面図である。
【図２】本発明の一実施形態に係る情報処理装置のハードウェア構成の一例を示す構成図である。
【図３】本発明の一実施形態に係る情報処理装置で実現される機能の一例を示す機能ブロック図である。
【図４Ａ】システム設定メニュー画像の一例を示す図である。
【図４Ｂ】システム設定メニュー画像の一例を示す図である。
【図５Ａ】削除対象コンテンツ選択画像の一例を示す図である。
【図５Ｂ】削除対象コンテンツ選択画像の一例を示す図である。
【図６Ａ】パスワード入力画像の一例を示す図である。
【図６Ｂ】パスワード入力画像の一例を示す図である。
【図７Ａ】ホームメニュー画像の一例を示す図である。
【図７Ｂ】ホームメニュー画像の一例を示す図である。
【図８Ａ】ライブエリア画像の一例を示す図である。
【図８Ｂ】ライブエリア画像の一例を示す図である。
【図８Ｃ】ライブエリア画像の一例を示す図である。
【図８Ｄ】ライブエリア画像の一例を示す図である。
【図９Ａ】日付・時刻設定画像の一例を示す図である。
【図９Ｂ】日付・時刻設定画像の一例を示す図である。
【図１０Ａ】ショッピングサイト画像の一例を示す図である。
【図１０Ｂ】ショッピングサイト画像の一例を示す図である。
【図１１Ａ】強調画像の表示態様の変化の一例を模式的に示す図である。
【図１１Ｂ】強調画像の表示態様の変化の一例を模式的に示す図である。
【図１１Ｃ】強調画像の表示態様の変化の一例を模式的に示す図である。
【図１２】据置型ゲーム装置の一例を示す図である。
【発明を実施するための形態】
【００２３】
以下、本発明の一実施形態について図面に基づき詳細に説明する。
【００２４】
［ハードウェア構成］
図１Ａは、本発明の一実施形態に係る情報処理装置１０の外観を示す正面図である。図１Ｂは、本発明の一実施形態に係る情報処理装置１０の外観を示す背面図である。図２は、図１Ａ及び図１Ｂに示す情報処理装置１０のハードウェア構成の一例を示す構成図である。本実施形態に係る情報処理装置１０は、例えば携帯型ゲーム機等の可搬型のデバイスであるものとする。
【００２５】
本実施形態に係る情報処理装置１０の筐体１２は、全体として平板状の形状をしている。以下では、筐体１２の横方向（幅方向）をＸ軸方向、縦方向（高さ方向）をＹ軸方向とし、厚さ方向（奥行き方向）をＺ軸方向とする。また、本実施形態では、筐体１２の前面から見て左から右へ向かう方向がＸ軸正方向、筐体１２の前面から見て下から上へ向かう方向がＹ軸正方向、筐体１２の背面から前面へ向かう方向がＺ軸正方向となっている。図１Ａ、図１Ｂ及び図２に示すように、本実施形態に係る情報処理装置１０は、制御部２０、記憶部２２、通信部２４、画像処理部２６、表示部２８、タッチセンサ３０（本実施形態では、前面タッチセンサ３０ａ、及び、背面タッチセンサ３０ｂ）、操作キー３２、などを含んで構成される。これらの要素は、バスを介して接続される。
【００２６】
制御部２０は、例えばＣＰＵ等であって、記憶部２２に格納されているプログラムに従って、各種の情報処理を実行する。記憶部２２は、例えばＲＡＭやＲＯＭ等のメモリ素子などであって、制御部２０によって実行されるプログラムや各種のデータを格納する。また、記憶部２２は、制御部２０のワークメモリとしても機能する。通信部２４は、例えば、ネットワークインタフェースなど（具体的には、例えば、無線ＬＡＮモジュール）であり、制御部２０から入力される指示に従って、他の情報処理装置１０や、インターネット上のサーバ（図示せず）などへ情報を送信する。また、通信部２４は、受信される情報を制御部２０に出力する。
【００２７】
画像処理部２６は、例えばＧＰＵとフレームバッファメモリとを含んで構成され、制御部２０が出力する指示に従って、表示部２８に表示する画像を描画する。具体例として、画像処理部２６は表示部２８の表示領域に対応したフレームバッファメモリを備え、ＧＰＵは、制御部２０からの指示に従って、所定時間おきにこのフレームバッファメモリに対して画像を書き込む。そして、このフレームバッファメモリに書き込まれた画像が、所定のタイミングでビデオ信号に変換されて、表示部２８に表示される。
【００２８】
本実施形態に係る表示部２８は、例えば、液晶表示パネルや有機ＥＬ表示パネル等、各種の画像表示デバイスである。本実施形態に係るタッチセンサ３０は、所定の時間間隔で、検出面上における物体（例えば、指等）の接触を順次検出するセンサである。本実施形態に係る情報処理装置１０は、２つのタッチセンサ３０（前面タッチセンサ３０ａ、及び、背面タッチセンサ３０ｂ）を備えている。
【００２９】
本実施形態に係る情報処理装置１０の筐体１２の前面には、表示部２８と前面タッチセンサ３０ａとが一体となったタッチパネル３４が設けられている。また、本実施形態に係るタッチパネル３４は、略矩形の形状をしている。前面タッチセンサ３０ａは、表示部２８に重ねて配置されており、表示部２８の表示面に対応する形状及び大きさの略矩形の検出面を備えている。そして、本実施形態では、前面タッチセンサ３０ａは、物体の接触を検出した場合は、その物体の接触位置を検出位置として検出する。なお、前面タッチセンサ３０ａは、必ずしも物体が検出面に接触した場合だけ物体の位置を検出するのではなく、検出面上の検出可能範囲内まで物体が近接した場合に、当該物体の検出面に対する位置を検出してもよい。また、本実施形態に係る前面タッチセンサ３０ａは、物体の検出面に接触している部分の面積（接触面積）を検出可能なセンサである。
【００３０】
背面タッチセンサ３０ｂは、筐体１２の背面側に、前面タッチセンサ３０ａと対向するように配置されている。また、本実施形態では、背面タッチセンサ３０ｂは、筐体１２の正面から見て、背面タッチセンサ３０ｂの左半分が前面タッチセンサ３０ａの左半分に対向し、背面タッチセンサ３０ｂの右半分が前面タッチセンサ３０ａの右半分に対向するように配置されている。本実施形態に係る背面タッチセンサ３０ｂは、Ｘ軸方向の長さが前面タッチセンサ３０ａと略同じであり、Ｙ軸方向の長さが前面タッチセンサ３０ａよりも短い、略矩形の検出面を備えており、前面タッチセンサ３０ａと同様に、所定の時間間隔で、検出面上における物体の位置を検出する。すなわち、表示部２８の表示面、前面タッチセンサ３０ａの検出面、及び、背面タッチセンサ３０ｂの検出面は、それぞれ筐体１２のＸＹ平面と平行な向きに配置され、筐体１２の厚さ方向（Ｚ軸方向）に沿って直線状に並んでいる。また、本実施形態に係る背面タッチセンサ３０ｂは、前面タッチセンサ３０ａと同様、物体の検出面に接触している部分の面積（接触面積）を検出可能なセンサである。
【００３１】
本実施形態に係る前面タッチセンサ３０ａや背面タッチセンサ３０ｂは、例えば静電容量式や感圧式、光学式など、検出面上における物体の位置を検出可能なデバイスであれば、どのような方式のものであってもよい。なお、本実施形態では、前面タッチセンサ３０ａも背面タッチセンサ３０ｂも、複数箇所（例えば、最大８箇所）での物体の接触を検知可能な多点検知型タッチセンサであることとする。また、本実施形態に係る前面タッチセンサ３０ａや背面タッチセンサ３０ｂは、物体が検出面を押圧する強さ（圧力）を検出可能なセンサであってもよい。
【００３２】
本実施形態では、表示部２８内における情報の表示位置、前面タッチセンサ３０ａ内における物体の検出位置、背面タッチセンサ３０ｂ内における物体の検出位置を、同一の座標系におけるＸ座標値とＹ座標値との組合せで表現することとする。すなわち、前面タッチセンサ３０ａ内の位置と、当該位置に重なる表示部２８内の位置とは、Ｘ座標値とＹ座標値の組合せが同一となる。また、背面タッチセンサ３０ｂ内の位置と、当該位置をＺ軸方向に沿って表示部２８の表示面に投影した位置とは、Ｘ座標値とＹ座標値の組合せが同一となる。このように、本実施形態では、前面タッチセンサ３０ａでの位置、背面タッチセンサ３０ｂでの位置、表示部２８での位置、が対応付けられている。
【００３３】
なお、以下の説明では、ユーザは自分の指等を前面タッチセンサ３０ａや背面タッチセンサ３０ｂに接触させて操作入力を行うこととするが、これに限らず、ユーザはスタイラスなど手で持った物体を検出面に触れさせることで操作入力を行うようにしてもよい。
【００３４】
操作キー３２は、例えば、タッチセンサ３０とは異なる、ユーザが情報処理装置１０に対して行う操作入力に用いる操作部の一種である。図１Ａ及び図１Ｂには、操作キー３２を構成する操作部材の一例として、方向キー３６（本実施形態では、例えば、上方向キー３６Ｕ、下方向キー３６Ｄ、左方向キー３６Ｌ、右方向キー３６Ｒ、）、前面ボタン３８（本実施形態では、例えば、上ボタン３８Ｕ、下ボタン３８Ｄ、左ボタン３８Ｌ、右ボタン３８Ｒ、コマンドボタン３８Ｃ、スタートボタン３８ＳＴ、セレクトボタン３８ＳＥ）、上側面ボタン４０（Ｌボタン４０Ｌ、並びに、Ｒボタン４０Ｒ）、及び、アナログスティック４２（本実施形態では、例えば、左アナログスティック４２Ｌ、並びに、右アナログスティック４２Ｒ）が図示されている。
【００３５】
アナログスティック４２は、例えば、所定の基準位置からの傾倒操作が可能である。そして、本実施形態に係る情報処理装置１０では、左アナログスティック４２Ｌ及び右アナログスティック４２Ｒの現在の傾き状態（姿勢）を把握できるようになっている。
【００３６】
本実施形態に係る情報処理装置１０の筐体１２の前面に配置されているタッチパネル３４の左上には、上方向キー３６Ｕ、下方向キー３６Ｄ、右方向キー３６Ｒ、及び、左方向キー３６Ｌが配置されている。そして、これら４つの方向キー３６の右下には、左アナログスティック４２Ｌが配置されている。そして、左アナログスティック４２Ｌの左下には、コマンドボタン３８Ｃが配置されている。タッチパネル３４の右上側には、上ボタン３８Ｕ、下ボタン３８Ｄ、左ボタン３８Ｌ、及び、右ボタン３８Ｒが配置されている。これら４つの前面ボタン３８の左下には、右アナログスティック４２Ｒが配置されている。そして、右アナログスティック４２Ｒの右下には、セレクトボタン３８ＳＥ及びスタートボタン３８ＳＴが左から並んで配置されている。
【００３７】
そして、本実施形態に係る情報処理装置１０の筐体１２の上側面には、左側にＬボタン４０Ｌが配置されており、右側にＲボタン４０Ｒが配置されている。また、本実施形態に係る情報処理装置１０の筐体１２の背面に配置されている背面タッチセンサ３０ｂの左右には、ユーザがしっかりと情報処理装置１０を手で握ることができるようにするためのグリップ４４が形成されている。
【００３８】
なお、本実施形態に係る情報処理装置１０が、上述の部材の他に、例えば、各種のメモリカード等の情報記憶媒体を挿抜可能なスロット、スピーカ、出力される音量を調整するための音量調整ボタン、情報処理装置１０への電源の投入の開始又は終了を指示するための電源ボタン、ＵＳＢポート、加速度センサ、などを備えていてもよい。また、上述のスロットが、制御部２０からの指示に従って、スロットに挿入されるメモリカード等の情報記憶媒体に記録されたプログラムやデータなどの読み取りや、挿入されるメモリカード等の情報記憶媒体へのデータの書き込みを行ってもよい。また、スロット、音量調整ボタン、電源ボタンは、例えば、情報処理装置１０の筐体１２の上側面に配置されていてもよい。
【００３９】
［機能］
図３は、本実施形態に係る情報処理装置１０で実現される機能の一例を示す機能ブロック図である。図３に示すように、本実施形態に係る情報処理装置１０は、機能的には、例えば、検出結果受付部５０、操作入力受付部５２、処理実行部５４、などを含んでいる。これら各部は、コンピュータである情報処理装置１０で、本実施形態に係るプログラムが実行されることにより実現される。このプログラムには、例えば、図３に示されている各部となるようコンピュータを制御する命令が含まれている。また、このプログラムは、コンピュータ通信ネットワーク経由で通信インタフェースを介して他のコンピュータからダウンロードされて、情報処理装置１０に提供されてもよいし、光ディスク（例えば、ＣＤ−ＲＯＭ、ＤＶＤ−ＲＯＭ、Ｂｌｕ−ｒａｙディスクなど）、ＵＳＢメモリ、メモリカード等のコンピュータ読み取り可能な情報記憶媒体に格納され、そこから情報処理装置１０に提供されるようにしてもよい。
【００４０】
本実施形態では、前面タッチセンサ３０ａ及び背面タッチセンサ３０ｂが、所定の時間間隔で、検出面上における物体の接触を順次検出するとともに、物体の接触位置に対応する検出結果（検出位置）を検出結果受付部５０に出力する。本実施形態では、例えば、前面タッチセンサ３０ａ及び背面タッチセンサ３０ｂのそれぞれが、Ｘ座標値とＹ座標値との組合せで表現される、前面タッチセンサ３０ａ又は背面タッチセンサ３０ｂでの検出位置の座標（以下、検出位置座標と呼ぶ。）、及び、前面タッチセンサ３０ａがタッチされたか背面タッチセンサ３０ｂがタッチされたかを示すタッチフラグが含まれる検出位置データを、検出結果受付部５０に出力する。そして、検出結果受付部５０は、当該検出位置データを受け付ける。このようにして、本実施形態では、検出結果受付部５０は、タッチセンサ３０に対する操作入力を受け付けることとなる。なお、本実施形態では、検出面上における物体の接触を検出するタイミングに、前面タッチセンサ３０ａにおいて、検出面上における物体の接触が検出されなかった場合は、前面タッチセンサ３０ａは、検出位置座標の値がＮｕｌｌである検出位置データを検出結果受付部５０に出力する。また、背面タッチセンサ３０ｂにおいて、検出面上における物体の接触が検出されなかった場合は、背面タッチセンサ３０ｂは、検出位置座標の値がＮｕｌｌである検出位置データを検出結果受付部５０に出力する。
【００４１】
検出結果受付部５０は、検出位置データを受け付けると、情報処理装置１０が備える記憶部２２に、検出位置データを、受付日時に関連付けた上で、検出履歴データとして記憶させる。
【００４２】
本実施形態では、アナログスティック４２以外の操作キー３２は、それぞれ、自らの識別情報に関連付けられた、押下されているか否かを示すディジタル値（本実施形態では、例えば、押下されている場合は１、押下されていない場合は０）を示す押下データを、所定時間間隔で、操作入力受付部５２に出力する。
【００４３】
また、左アナログスティック４２Ｌ及び右アナログスティック４２Ｒは、自らの識別情報に関連付けられた、基準位置からの、Ｘ軸方向及びＹ軸方向の傾きを示す姿勢データ（Ｘ，Ｙ）（ここで、Ｘ及びＹのそれぞれは、０以上２５５以下のいずれかの整数）を、所定時間間隔で、操作入力受付部５２に出力する。具体的には、例えば、Ｘ＝１２７やＸ＝１２８付近は、アナログスティック４２がＸ軸方向に傾いていないことを示す。また、Ｘ＝２５５は、アナログスティック４２がＸ軸の正方向に限界まで倒れていることを示す。さらに、Ｘ＝０は、アナログスティック４２がＸ軸の負方向に限界まで倒れていることを示す。また、例えば、Ｙ＝１２７やＹ＝１２８付近は、アナログスティック４２がＹ軸方向に傾いていないことを示す。また、Ｙ＝２５５は、アナログスティック４２がＹ軸の正方向に最大限倒れていることを示す。さらに、Ｙ＝０は、アナログスティック４２がＹ軸の負方向に最大限倒れていることを示す。
【００４４】
そして、操作入力受付部５２は、本実施形態では、例えば、所定時間間隔で、アナログスティック４２以外の操作キー３２のそれぞれについての、当該操作キー３２の識別情報に関連付けられた押下データ、及び、左アナログスティック４２Ｌ及び右アナログスティック４２Ｒについての、アナログスティック４２の識別情報に関連付けられた姿勢データを受け付ける。
【００４５】
操作入力受付部５２は、押下データ、又は、姿勢データを受け付けると、情報処理装置１０が備える記憶部２２に、当該データを、受付日時に関連付けた上で、入力履歴データとして記憶させる。
【００４６】
処理実行部５４は、例えば、スロットに挿入された情報記憶媒体に記憶されているプログラムや、情報処理装置１０に予めインストールされているプログラムを実行して、例えば、受け付けた操作信号に応じた画像を生成して、タッチパネル３４に表示させる処理、などを実行する。また、本実施形態では、処理実行部５４は、検出結果受付部５０が受け付けた検出位置データに応じた処理や、操作入力受付部５２が受け付けた操作信号に応じた処理を実行する。
【００４７】
［システム設定メニュー画像］
図４Ａは、本実施形態に係る情報処理装置１０のタッチパネル３４に表示される、情報処理装置１０に関する設定を行うためのシステム設定メニュー画像６０の一例を示す図である。システム設定メニュー画像６０の中央には、それぞれが対応する設定項目を表す複数の設定項目画像６２が縦一列に並んで配置されている。本実施形態では、複数の設定項目画像６２の全体が占める領域は、所定のスクロール方向（本実施形態では、例えば、Ｙ軸方向）に沿って延びる矩形の領域であって、Ｙ軸方向に延びる辺は、表示部２８の画面の縦方向の長さよりも長いものとする。そして、本実施形態に係る情報処理装置１０は、複数の設定項目画像６２の全体を一度に表示部２８に表示させることはできず、当該複数の設定項目画像６２の全体が占める領域の一部だけを表示部２８に表示させることとなる。本実施形態では、複数の設定項目画像６２の一部又は全部がタッチパネル３４に表示される。また、システム設定メニュー画像６０の左下端には、別の画像（例えば、システム設定メニュー画像６０が表示される前にタッチパネル３４に表示されていた画像）への遷移を指示するためのバックアイコン６４が配置されている。
【００４８】
処理実行部５４は、例えば、システム設定メニュー画像６０等の各種の画像をタッチパネル３４に表示させる処理を実行する。図４Ａに例示するシステム設定メニュー画像６０に配置されている、「キー操作補助を有効にする」との文字列が記載された設定項目画像６２の右端には、チェックボックス６６が配置されている。この設定項目画像６２は、予め定められた１又は複数の操作（以下、特定操作と呼ぶ。）を、操作キー３２で操作することができるようにするか否か設定を行うための設定項目画像６２である。
【００４９】
チェックボックス６６に対してユーザがタップ操作（指等で叩く操作）を行う度に、処理実行部５４は、本実施形態に係る情報処理装置１０の記憶部に予め記憶されている、操作キー３２で特定操作を行えるようにするか否かを示す操作可否データの値を１から０、又は、０から１に変更する。なお、本実施形態では、操作可否データのデフォルト値は０である。そして、処理実行部５４は、タッチパネル３４に表示されているシステム設定メニュー画像６０を更新する。
【００５０】
処理実行部５４は、本実施形態では、例えば、操作可否データの値が１である場合に、チェックボックス６６がチェックされている状態となっているシステム設定メニュー画像６０をタッチパネル３４に表示させ、操作可否データの値が０である場合に、チェックボックス６６がチェックされていない状態となっているシステム設定メニュー画像６０をタッチパネル３４に表示させる。そのため、操作可否データの値の変更に応じて、システム設定メニュー画像６０に配置されているチェックボックス６６は、チェックされている状態と、チェックされていない状態と、が切り替わることとなる。
【００５１】
なお、本実施形態では、タッチセンサ３０が物体の接触を検出して（すなわち、検出結果受付部５０が、指等によりタップされた位置（以下、タップ位置と呼ぶ。）を示す検出位置データを受け付けて）、その後、タッチセンサ３０が物体の接触を検出しなくなった（すなわち、検出結果受付部５０が、前面タッチセンサ３０ａからも背面タッチセンサ３０ｂからも検出位置座標の値がＮｕｌｌである検出位置データを受け付けた）際に、処理実行部５４は、上述のタップ位置を示す検出位置データに応じた処理（例えば、操作可否データの値を１から０に更新して、チェックボックス６６がチェックされている状態からチェックされていない状態に変更されるようタッチパネル３４に表示されているシステム設定メニュー画像６０を更新する処理や、操作可否データの値を０から１に更新して、チェックボックス６６がチェックされていない状態からチェックされている状態に変更されるようタッチパネル３４に表示されているシステム設定メニュー画像６０を更新する処理、など）を実行することとする。
【００５２】
本実施形態では、例えば、操作可否データに設定されている値が１である場合は、処理実行部５４は、操作キー３２による特定操作の操作入力の受付に応じて、当該操作入力に応じた処理を実行する。また、本実施形態では、例えば、操作可否データに設定されている値が０である場合は、処理実行部５４は、操作キー３２による特定操作の操作入力を受け付けても、当該操作入力に応じた処理を実行しない。
【００５３】
以下、操作可否データに設定されている値が１である場合に、本実施形態に係る情報処理装置１０で行われる、タッチパネル３４への各種画像の表示処理について説明する。
【００５４】
例えば、図４Ａに例示するシステム設定メニュー画像６０がタッチパネル３４に表示されている際に、いずれかの方向キー３６、又は、右ボタン３８Ｒが押下されると、操作入力受付部５２が押下データを受け付ける。そして、処理実行部５４は、図４Ａに例示するような、強調画像６８が表示されていない状態から、図４Ｂに例示するような、いずれかの設定項目画像６２を囲む強調画像６８が表示されている状態に変化するよう、システム設定メニュー画像６０を更新する。このようにして、複数の選択肢（図４Ａ及び図４Ｂの例では設定項目画像６２又はバックアイコン６４）のうちのいずれかを強調させる強調画像６８がタッチパネル３４に表示されることとなる。
【００５５】
本実施形態では、処理実行部５４は、強調画像６８を表示させる表示制御、すなわち、強調画像６８が表示されていない状態から、いずれかの選択肢を囲む強調画像６８が表示されている状態に変化させる表示制御を行うにあたって、強調画像６８を表示させる位置を制御する。
【００５６】
本実施形態では、例えば、システム設定メニュー画像６０がタッチパネル３４に表示された時点以降の受付日時に関連付けられている検出位置データが検出履歴データとして記憶部２２に記憶されている場合は、処理実行部５４は、当該検出位置データに含まれる検出位置座標に基づいて特定される位置に配置されている選択肢（ここでは、例えば、設定項目画像６２又はバックアイコン６４）が囲まれるよう強調画像６８を配置する。なお、本実施形態では、強調画像６８を表示させることによって、いずれかの選択肢を強調しているが、他の方法によって、選択肢を強調表示させるようにしてもよい。例えば、強調表示の対象となる選択肢を他の選択肢よりも大きく表示させるようにしたり、強調表示の対象となる選択肢を指す矢印画像を表示させるようにしたり、強調表示の対象となる選択肢を他の設定項目画像とは異なる色や明度で表示させるようにしたりしてもよい。
【００５７】
ここで、システム設定メニュー画像６０がタッチパネル３４に表示された時点以降の受付日時に関連付けられている検出位置データが複数存在する場合は、処理実行部５４は、例えば、関連付けられている受付日時が最も新しい検出位置データ（操作キー３２の操作入力を受け付けた時点の直前のタッチパネル３４での検出位置を示す検出位置データ）に含まれる検出位置座標に基づいて特定される位置に配置されている選択肢（ここでは、例えば、設定項目画像６２又はバックアイコン６４）が囲まれるよう強調画像６８を配置する。
【００５８】
ここで、本実施形態では、例えば、上述の検出位置座標を内部に含む設定項目画像６２又はバックアイコン６４が存在する場合は、処理実行部５４は、当該設定項目画像６２又はバックアイコン６４が囲まれるよう強調画像６８を配置する。また、例えば、上述の検出位置座標を内部に含む設定項目画像６２が存在しない場合は、処理実行部５４は、中心の位置が当該検出位置データに含まれる検出位置座標から最も近い位置に配置されている設定項目画像６２又はバックアイコン６４が囲まれるよう強調画像６８を配置する。
【００５９】
システム設定メニュー画像６０がタッチパネルに表示された時点以降の受付日時に関連付けられている検出位置データが検出履歴データとして記憶部２２に記憶されていない場合は、処理実行部５４は、予め定められた規則に従って決定される選択肢（以下、デフォルト選択肢と呼ぶ。）である設定項目画像６２又はバックアイコン６４が囲まれるよう強調画像６８を配置する。
【００６０】
以上説明した、強調画像６８が表示されていない状態から、いずれかの選択肢を囲む強調画像６８が表示されている状態に変化させる表示制御を行うにあたって、強調画像６８を表示させる位置（強調画像６８により強調される選択肢）を制御する処理を、以下、表示位置制御処理と呼ぶこととする。
【００６１】
図４Ａ及び図４Ｂに例示するシステム設定メニュー画像６０のように、縦一列（又は、横一列）に、選択肢（図４Ａ及び図４Ｂの例では設定項目画像６２）の少なくとも一部が並んでいる画像の場合については、例えば、一番上（又は、一番左）に配置されている設定項目画像６２がデフォルト選択肢として決定される。なお、もちろん、例えば、一番下（又は、一番右）に配置されている設定項目画像６２がデフォルト選択肢として決定されても構わない。
【００６２】
いずれかの設定項目画像６２を囲む強調画像６８がタッチパネル３４に表示されている状態で、その後、下方向キー３６Ｄが押下されると、押下される度に、処理実行部５４は、強調画像６８により囲まれる設定項目画像６２が、直下に配置されている設定項目画像６２に変更されるよう、タッチパネル３４に表示されているシステム設定メニュー画像６０を更新する。また、上方向キー３６Ｕが押下されると、押下される度に、処理実行部５４は、強調画像６８により囲まれる設定項目画像６２が、直上に配置されている設定項目画像６２に変更されるよう、タッチパネル３４に表示されているシステム設定メニュー画像６０を更新する。
【００６３】
そして、右ボタン３８Ｒが押下されると、処理実行部５４は、強調画像６８により囲まれている設定項目画像６２に対応する処理を実行すべき処理として決定し、当該処理を実行する。例えば、「エラー履歴」と記載された設定項目画像６２が強調画像６８により囲まれている際に、右ボタン３８Ｒが押下された場合は、処理実行部５４は、情報処理装置１０で発生したエラーの一覧が表示されるよう、タッチパネル３４に表示される画像を更新する。
【００６４】
このように、本実施形態に係る情報処理装置１０では、右ボタン３８Ｒが、強調画像６８により強調されている選択肢に応じた処理の実行操作のために割り当てられている。そして、本実施形態に係る情報処理装置１０は、タッチパネル３４に強調画像６８が表示されている際に、強調画像６８により強調されている選択肢に応じた処理の実行に対応付けられている操作（ここでは、例えば、右ボタン３８Ｒの押下操作）を受け付けた場合に、強調画像６８により強調されている選択肢に応じた処理（例えば、情報処理装置１０で発生したエラーの一覧の表示処理、など）を実行する。
【００６５】
また、本実施形態に係る情報処理装置１０では、予め、操作キー３２から受け付ける操作信号の少なくとも一部と、タッチセンサ３０に対する操作内容と、が対応付けて管理されている。そして、処理実行部５４は、操作キー３２から受け付けた操作信号に応じた処理を実行するにあたって、当該操作キー３２に対応付けられているタッチセンサ３０に対する操作内容を実行する。
【００６６】
具体的には、例えば、上述のように、処理実行部５４は、右ボタン３８Ｒが押下された際に、強調画像６８により囲まれている設定項目画像６２内の位置（例えば、設定項目画像６２の重心）に対するタップ操作を受け付けた際に実行される処理を実行する。また、例えば、処理実行部５４は、下ボタン３８Ｄが押下された際に、システム設定メニュー画像６０に配置されている、下ボタン３８Ｄに対応付けられている画像（例えば、バックアイコン６４）内の位置（例えば、バックアイコン６４の重心）に対するタップ操作を受け付けた際に実行される処理（例えば、システム設定メニュー画像６０が表示される前にタッチパネル３４に表示されていた画像を、タッチパネル３４に表示させる処理）を実行する。
【００６７】
また、強調画像６８がタッチパネル３４に表示されている場合に、いずれの操作キー３２についても有効な入力がない状態（具体的には、例えば、操作入力受付部５２が受け付けた押下データの値が１であるアナログスティック４２以外の操作キー３２、操作入力受付部５２が受け付けた姿勢データ（Ｘ，Ｙ）が表す座標値と、基準となる座標値（例えば、（１２７，１２７）や（１２８，１２８））との間の距離が所定の閾値を超えているアナログスティック４２、のいずれも存在しない状態）が所定時間経過した際、又は、タッチセンサ３０に対して物体が接触した（例えば、タッチセンサ３０が指等によりタップされた）際には、処理実行部５４は、システム設定メニュー画像６０に配置されている強調画像６８により囲まれている設定項目画像６２を識別する情報（以下、選択肢識別情報と呼ぶ。）を記憶部２２に記憶させた上で、強調画像６８が表示されなくなるよう、タッチパネル３４に表示されているシステム設定メニュー画像６０を更新する。このようにして、本実施形態では、強調画像６８により囲まれている設定項目画像６２がタッチパネル３４に表示されている状態が維持されたまま、当該強調画像６８がシステム設定メニュー画像６０から消えることとなる。
【００６８】
そして、その後、例えば、タッチセンサ３０に対する物体の接触がないまま（検出結果受付部５０が、値が「Ｎｕｌｌ」でない検出位置データを受け付けることがないまま）いずれかの方向キー３６、又は、右ボタン３８Ｒが押下されると、処理実行部５４は、強調画像６８がシステム設定メニュー画像６０から消える際に、記憶部２２に最後に記憶された選択肢識別情報（すなわち、記憶部２２が記憶している最新の選択肢識別情報）により識別される設定項目画像６２を囲む強調画像６８をシステム設定メニュー画像６０に再度配置する。
【００６９】
このようにして、本実施形態では、例えば、「エラー履歴」と記載された設定項目画像６２が強調画像６８により囲まれた状態で、当該強調画像６８がタッチパネル３４から消えた後に、タッチセンサ３０に対する物体の接触がないまま、再度、強調画像６８がタッチパネル３４に表示される状況となった場合は、「エラー履歴」と記載された設定項目画像６２が強調画像６８により囲まれることとなる。
【００７０】
本実施形態では、以上説明したように、強調画像６８がタッチパネル３４に表示されている場合には、下方向キー３６Ｄ、上方向キー３６Ｕ、右ボタン３８Ｒ、のそれぞれが押下された場合に、処理実行部５４が実行する処理が異なる。このように、本実施形態に係る情報処理装置１０は、強調画像６８が表示されている際の操作入力に応じて実行される処理が互いに異なる操作キー３２を複数含んでいる。その一方で、強調画像６８がタッチパネル３４に表示されていない場合は、下方向キー３６Ｄや上方向キー３６Ｕなどといったいずれかの方向キー３６、又は、右ボタン３８Ｒ、のいずれが押下された場合においても、処理実行部５４は、強調画像６８をタッチパネル３４に表示させる処理を実行する。また、上述の操作キー３２のいずれが押下された場合についても、強調画像６８により強調される選択肢（例えば、設定項目画像６２）は同じとなる。
【００７１】
［削除対象コンテンツ選択画像］
図５Ａは、情報処理装置１０のタッチパネル３４に表示される、情報処理装置１０に記憶されているコンテンツ（動画や音楽など）のなかから削除の対象となるコンテンツを選択するための削除対象コンテンツ選択画像７０の一例を示す図である。削除対象コンテンツ選択画像７０の中央には、それぞれがコンテンツに対応付けられるコンテンツ対応画像７２が縦一列に複数配置されている。コンテンツ対応画像７２には、例えば、コンテンツの名称等が記載されている。それぞれのコンテンツ対応画像７２の左には、当該コンテンツ対応画像７２に対応するコンテンツを削除対象として選択するためのチェックボックス６６が配置されている。削除対象コンテンツ選択画像７０の左下にはキャンセルアイコン７４が配置されており、削除対象コンテンツ選択画像７０の右下には、左から順に、全選択アイコン７６（図５Ａには「すべて選択」と記載されている）、及び、削除アイコン７８が、並んで配置されている。
【００７２】
また、本実施形態では、削除アイコン７８は、いずれのチェックボックス６６もチェックされていない状態である場合には、当該アイコンに応じた処理が実行不可能である状態（ディスエーブル状態）で表示され、少なくとも１つのチェックボックス６６がチェックされている状態である場合には、当該アイコンに応じた処理が実行可能である状態（イネーブル状態）で表示される。図５Ａでは、削除アイコン７８の枠を破線で示すことで、当該削除アイコン７８がディスエーブル状態であることを示している。
【００７３】
図５Ａに例示する削除対象コンテンツ選択画像７０がタッチパネル３４に表示されており、強調画像６８が表示されていない際に、いずれかの方向キー３６、又は、右ボタン３８Ｒが押下されると、処理実行部５４は、キャンセルアイコン７４、全選択アイコン７６、又は、削除アイコン７８のうちから上述の表示位置制御処理に基づいて決定されるいずれかの選択肢を囲む強調画像６８をタッチパネル３４に表示させる。図５Ｂは、削除アイコン７８が強調画像６８によって囲まれている削除対象コンテンツ選択画像７０の一例を示す図である。
【００７４】
本実施形態では、実行を取り消す処理（いわゆる、キャンセル処理）に対応付けられている選択肢が、タッチパネル３４に表示されている選択肢に含まれている場合は、当該選択肢（図５Ａ及び図５Ｂの例では、キャンセルアイコン７４）がデフォルト選択肢として決定される。
【００７５】
そして、左方向キー３６Ｌが押下されると、処理実行部５４は、強調画像６８に囲まれるアイコンが、当該アイコンの左に配置されているアイコンに変更されるよう、タッチパネル３４に表示されている削除対象コンテンツ選択画像７０を更新する。右方向キー３６Ｒが押下されると、処理実行部５４は、強調画像６８に囲まれるアイコンが、当該アイコンの右に配置されているアイコンに変更されるよう、タッチパネル３４に表示されている削除対象コンテンツ選択画像７０を更新する。また、本実施形態では、全選択アイコン７６を囲む強調画像６８が削除対象コンテンツ選択画像７０に配置されており、削除アイコン７８がディスエーブル状態である場合に、右方向キー３６Ｒが押下されると、処理実行部５４は、強調画像６８により囲まれるアイコンが、ディスエーブル状態である削除アイコン７８に変更されるよう、タッチパネル３４に表示されている削除対象コンテンツ選択画像７０を更新する。このように、本実施形態では、ディスエーブル状態であるアイコンについても、強調画像６８により強調されるようにすることが可能である。
【００７６】
いずれかのアイコンが強調画像６８により囲まれている際に、右ボタン３８Ｒが押下されると、処理実行部５４は、強調画像６８により囲まれているアイコンに対応する処理を実行すべき処理として決定し、当該処理を実行する。例えば、キャンセルアイコン７４が強調画像６８により囲まれている際に、右ボタン３８Ｒが押下されると、処理実行部５４は、タッチパネル３４に表示される画像を、別の画像（例えば、再生されるコンテンツを選択するための画像）に更新する。全選択アイコン７６が強調画像６８により囲まれている際に、右ボタン３８Ｒが押下されると、処理実行部５４は、すべてのチェックボックス６６がチェックされた状態となるよう、削除対象コンテンツ選択画像７０を更新する。イネーブル状態である削除アイコン７８が強調画像６８により囲まれている際に、右ボタン３８Ｒが押下されると、処理実行部５４は、チェックされた状態であるチェックボックス６６に対応するコンテンツ（チェックされた状態であるチェックボックス６６の右に配置されているコンテンツ対応画像７２に対応するコンテンツ）を、記憶部２２から削除する。
【００７７】
なお、例えば、ディスエーブル状態であるアイコンが強調画像６８により囲まれている場合に、検出結果受付部５０、又は、操作入力受付部５２が、当該アイコンをイネーブル状態に変化させる操作を受け付けた際に、処理実行部５４は、当該アイコンを、強調画像６８に囲まれたままイネーブル状態に更新してもよい。また、例えば、強調画像６８がタッチパネル３４に表示されていない際に、検出結果受付部５０、又は、操作入力受付部５２が、ディスエーブル状態であるアイコンをイネーブル状態に変化させる操作を受け付けた際に、処理実行部５４は、イネーブル状態に変化したアイコンを囲む強調画像６８をタッチパネル３４に表示させるようにしてもよい。
【００７８】
［パスワード入力画像］
図６Ａは、情報処理装置１０のタッチパネル３４に表示される、パスワードを入力するためのパスワード入力画像８０の一例を示す図である。パスワード入力画像８０の中央には、パスワードを入力するためのフォーム８２が配置されている。また、パスワード入力画像８０の下辺には、左から順に、キャンセルアイコン７４、ＯＫアイコン８４、が並んで配置されている。
【００７９】
図６Ａに例示するパスワード入力画像８０がタッチパネル３４に表示されており、強調画像６８が表示されていない際に、いずれかの方向キー３６、又は、右ボタン３８Ｒが押下されると、処理実行部５４は、キャンセルアイコン７４、又は、ＯＫアイコン８４のうちから上述の表示位置制御処理に基づいて決定される選択肢を囲む強調画像６８をタッチパネル３４に表示させる。なお、パスワード入力画像８０では、キャンセルアイコン７４がデフォルト選択肢として決定される。図６Ｂは、キャンセルアイコン７４が強調画像６８によって囲まれている削除対象コンテンツ選択画像７０の一例を示す図である。
【００８０】
そして、左方向キー３６Ｌが押下されると、処理実行部５４は、強調画像６８に囲まれるアイコンが、当該アイコンの左に配置されているアイコンに変更されるよう、タッチパネル３４に表示されている削除対象コンテンツ選択画像７０を更新する。右方向キー３６Ｒが押下されると、処理実行部５４は、強調画像６８に囲まれるアイコンが、当該アイコンの左に配置されているアイコンに変更されるよう、タッチパネル３４に表示されている削除対象コンテンツ選択画像７０を更新する。
【００８１】
例えば、キャンセルアイコン７４が強調画像６８により囲まれている際に、右ボタン３８Ｒが押下されると、処理実行部５４は、タッチパネル３４に表示される画像を、別の画像（例えば、パスワード入力画像８０が表示される前に表示されていた画像）に更新する。ＯＫアイコン８４が強調画像６８により囲まれている際に、右ボタン３８Ｒが押下されると、処理実行部５４は、フォーム８２に入力されたパスワードに基づく認証処理を実行する。
【００８２】
［ホームメニュー画像］
図７Ａは、情報処理装置１０のタッチパネル３４に表示される、ホームメニュー画像８６の一例を示す図である。ホームメニュー画像８６には、それぞれが情報処理装置１０で実行されるプログラムに対応する、プログラム対応アイコン８８（８８−１〜８８−１０）が１０個配置されている。ホームメニュー画像８６の上辺には、左から順に、第１のプログラム対応アイコン８８−１、第２のプログラム対応アイコン８８−２、第３のプログラム対応アイコン８８−３が、横一列に並んで配置されている。ホームメニュー画像８６の中央には、左から順に、第４のプログラム対応アイコン８８−４、第５のプログラム対応アイコン８８−５、第６のプログラム対応アイコン８８−６、第７のプログラム対応アイコン８８−７が、横一列に並んで配置されている。ホームメニュー画像８６の下辺には、左から順に、第８のプログラム対応アイコン８８−８、第９のプログラム対応アイコン８８−９、第１０のプログラム対応アイコン８８−１０が、横一列に並んで配置されている。
【００８３】
図７Ａに例示するホームメニュー画像８６がタッチパネル３４に表示されており、強調画像６８が表示されていない際に、いずれかの方向キー３６、又は、右ボタン３８Ｒが押下されると、処理実行部５４は、上述の表示位置制御処理に基づいて決定されるいずれかのプログラム対応アイコン８８を囲む強調画像６８をタッチパネル３４に表示させる。図７Ｂは、第４のプログラム対応アイコン８８−４が強調画像６８によって囲まれているホームメニュー画像８６の一例を示す図である。
【００８４】
そして、左方向キー３６Ｌが押下されると、処理実行部５４は、強調画像６８に囲まれるアイコンが、当該アイコンの左に配置されているアイコンに変更されるよう、タッチパネル３４に表示されているホームメニュー画像８６を更新する。右方向キー３６Ｒが押下されると、処理実行部５４は、強調画像６８に囲まれるアイコンが、当該アイコンの右に配置されているアイコンに変更されるよう、タッチパネル３４に表示されているホームメニュー画像８６を更新する。上方向キー３６Ｕが押下されると、処理実行部５４は、強調画像６８に囲まれるアイコンが、当該アイコンの左上又は右上に配置されているアイコンに変更されるよう、タッチパネル３４に表示されているホームメニュー画像８６を更新する。下方向キー３６Ｄが押下されると、処理実行部５４は、強調画像６８に囲まれるアイコンが、当該アイコンの左下又は右下に配置されているアイコンに変更されるよう、タッチパネル３４に表示されているホームメニュー画像８６を更新する。
【００８５】
なお、本実施形態では、第ｎ（ｎ＝１、２、又は、３）のプログラム対応アイコン８８が強調画像６８に囲まれている際に、下方向キー３６Ｄが２回押下されると、強調画像６８に囲まれるアイコンが、当該プログラム対応アイコン８８の真下に配置されている、第（ｎ＋７）のプログラム対応アイコン８８に変更される。また、本実施形態では、第ｍ（ｍ＝８、９、又は、１０）のプログラム対応アイコン８８が強調画像６８に囲まれている際に、上方向キー３６Ｕが２回押下されると、強調画像６８に囲まれるアイコンが、当該プログラム対応アイコン８８の真上に配置されている、第（ｍ−７）のプログラム対応アイコン８８に変更される。
【００８６】
いずれかのプログラム対応アイコン８８が強調画像６８により囲まれている際に、右ボタン３８Ｒが押下されると、処理実行部５４は、タッチパネル３４に表示される画像を、図８Ａに例示する、強調画像６８により囲まれているプログラム対応アイコン８８のライブエリア画像９０に更新する。
【００８７】
［ライブエリア画像］
図８Ａは、情報処理装置１０のタッチパネル３４に表示される、実行対象となるプログラム（いずれかのプログラム対応アイコン８８に対応付けられるプログラム）に関する様々な処理の実行指示を行うためのライブエリア画像９０の一例を示す図である。図８Ａには、ゴルフゲームのゲームプログラムに対応するライブエリア画像９０が一例として示されている。当該ゲームプログラムは、第４のプログラム対応アイコン８８−４に対応するプログラムである。
【００８８】
ライブエリア画像９０の上辺には、ＷＷＷアイコン９２、ヘルプアイコン９４、及び、更新アイコン９６が、左から並んで配置されている。ライブエリア画像９０の中央には、スタート画像９８が配置されている。スタート画像９８の左、左下、下、右、右下には、それぞれ、予め定められた処理（例えば、ショッピングサイトのＷｅｂページがブラウザを介して表示させる処理、など）が割り当てられている処理対応画像１００（第１の処理対応画像１００−１、第２の処理対応画像１００−２、第３の処理対応画像１００−３、第４の処理対応画像−４、及び、第５の処理対応画像−５）が配置されている。また、第１の処理対応画像１００−１と第４の処理対応画像１００−４は、スタート画像９８が配置されている位置よりも少し下に配置されている。
【００８９】
図８Ａに例示するライブエリア画像９０がタッチパネル３４に表示されており、強調画像６８が表示されていない際に、いずれかの方向キー３６、又は、右ボタン３８Ｒが押下されると、処理実行部５４は、ＷＷＷアイコン９２、ヘルプアイコン９４、更新アイコン９６、スタート画像９８、第１の処理対応画像１００−１、第２の処理対応画像１００−２、第３の処理対応画像１００−３、第４の処理対応画像１００−４、又は、第５の処理対応画像１００−５、のうちから上述の表示位置制御処理に基づいて決定されるいずれかの選択肢を囲む強調画像６８をタッチパネル３４に表示させる。図８Ｂは、第１の処理対応画像１００−１が強調画像６８によって囲まれているライブエリア画像９０の一例を示す図である。
【００９０】
そして、左方向キー３６Ｌが押下されると、処理実行部５４は、強調画像６８に囲まれる選択肢が、当該選択肢の左に配置されている選択肢に変更されるよう、タッチパネル３４に表示されているライブエリア画像９０を更新する。右方向キー３６Ｒが押下されると、処理実行部５４は、強調画像６８に囲まれる選択肢が、当該選択肢の右に配置されているアイコンに変更されるよう、タッチパネル３４に表示されているライブエリア画像９０を更新する。上方向キー３６Ｕが押下されると、処理実行部５４は、強調画像６８に囲まれる選択肢が、当該選択肢の上に配置されているアイコンに変更されるよう、タッチパネル３４に表示されているライブエリア画像９０を更新する。下方向キー３６Ｄが押下されると、処理実行部５４は、強調画像６８に囲まれる選択肢が、当該選択肢の下に配置されている選択肢に変更されるよう、タッチパネル３４に表示されているライブエリア画像９０を更新する。
【００９１】
いずれかの選択肢（ここでは、例えば、アイコン又は画像）が強調画像６８により囲まれている際に、右ボタン３８Ｒが押下されると、処理実行部５４は、強調画像６８により囲まれている選択肢に対応する処理を実行すべき処理として決定し、当該処理を実行する。
【００９２】
例えば、スタート画像９８が強調画像６８により囲まれている際に、右ボタン３８Ｒが押下されると、処理実行部５４は、対応するプログラム（ここでは、ゴルフゲームのゲームプログラム）の実行を開始する。処理対応画像１００が強調画像６８により囲まれている際に、右ボタン３８Ｒが押下されると、処理実行部５４は、当該処理対応画像１００に対応する処理を実行する。ＷＷＷアイコン９２が強調画像６８により囲まれている際に、右ボタン３８Ｒが押下されると、処理実行部５４は、表示されているライブエリア画像９０に対応するウェブページを、ブラウザを介してタッチパネル３４に表示させる。ヘルプアイコン９４が強調画像６８により囲まれている際に、右ボタン３８Ｒが押下されると、処理実行部５４は、当該プログラム（ここでは、ゴルフゲームのゲームプログラム）のヘルプページをタッチパネル３４に表示させる。
【００９３】
本実施形態では、強調画像６８がタッチパネル３４に表示されている際に、強調画像６８により囲まれている選択肢がタッチパネル３４に表示されなくなることがある。例えば、更新アイコン９６が強調画像６８に囲まれている際に、右ボタン３８Ｒが押下された場合に、図８Ｃに例示するように、ライブエリア画像９０に配置されている処理対応画像１００が更新されることがある。
【００９４】
図８Ｃの例では、スタート画像９８の左には、上から順に、第６の処理対応画像１００−６、第７の処理対応画像１００−７が配置されている。また、スタート画像９８の下には、左から順に、第８の処理対応画像１００−８、第９の処理対応画像１００−９、第１０の処理対応画像１００−１０が配置されている。また、スタート画像９８の右には、上から順に、第１１の処理対応画像１００−１１、第１２の処理対応画像１００−１２が配置されている。
【００９５】
この場合、処理実行部５４は、強調画像６８により囲まれる選択肢を、表示されなくなった選択肢から他の選択肢に変更する。例えば、図８Ｂに示すように、第１の処理対応画像１００−１が強調画像６８により囲まれていた場合に、ライブエリア画像９０における処理対応画像１００の配置が、図８Ｃが示す状態に変化した際には、第１の処理対応画像１００−１が配置されていた位置から最も近い位置に配置されている第６の処理対応画像１００−６が強調画像６８により囲まれるよう、ライブエリア画像９０を更新する。
【００９６】
また、本実施形態では、強調画像６８がタッチパネル３４に表示されておらず、選択肢識別情報が記憶部２２に記憶されている際に、当該選択肢識別情報により識別される選択肢がタッチパネル３４に表示されなくなることがある。この場合、処理実行部５４は、選択肢識別情報を、変更後のライブエリア画像９０に配置されている選択肢のいずれかに変更する。例えば、第１の処理対応画像１００−１を識別する選択肢識別情報が記憶部２２に記憶されていた場合に、ライブエリア画像９０における処理対応画像１００の配置が、図８Ａに示す状態から、図８Ｄに示すように、処理対応画像１００の配置は図８Ｃと同様であるが、強調画像６８が表示されていない状態に変化した際には、処理実行部５４は、記憶部２２に記憶されている選択肢識別情報を、第１の処理対応画像１００−１が配置されていた位置から最も近い位置に配置されている第６の処理対応画像１００−６を識別する選択肢識別情報に変更する。
【００９７】
［日付・時刻設定画像］
図９Ａは、情報処理装置１０のタッチパネル３４に表示される、日付及び時刻に関する設定を行うための日付・時刻設定画像１０２の一例を示す図である。日付・時刻設定画像１０２の右半分には、タイムゾーンとして設定される複数の候補値が選択肢として縦一列に並んで配置されている。
【００９８】
図９Ａに例示する日付・時刻設定画像１０２がタッチパネル３４に表示されており、強調画像６８が表示されていない際に、いずれかの方向キー３６、又は、右ボタン３８Ｒが押下されると、処理実行部５４は、いずれかの候補値を囲む強調画像６８をタッチパネル３４に表示させる。図９Ｂは、「ＧＭＴ  ＋０８：００」との値である候補値が強調画像６８によって囲まれている日付・時刻設定画像１０２の一例を示す図である。日付・時刻設定画像１０２では、タイムゾーンの値として設定されている値がデフォルト選択肢として決定される。
【００９９】
そして、上方向キー３６Ｕが押下されると、処理実行部５４は、強調画像６８に囲まれる選択肢が、当該選択肢の上に配置されている選択肢に変更されるよう、タッチパネル３４に表示されている日付・時刻設定画像１０２を更新する。下方向キー３６Ｄが押下されると、処理実行部５４は、強調画像６８に囲まれる選択肢が、当該選択肢の下に配置されている選択肢に変更されるよう、タッチパネル３４に表示されている日付・時刻設定画像１０２を更新する。
【０１００】
例えば、いずれかの候補値が強調画像６８により囲まれている際に、右ボタン３８Ｒが押下されると、処理実行部５４は、タイムゾーンの値を強調画像６８により囲まれている値に変更する。
【０１０１】
［ショッピングストア画像］
図１０Ａは、情報処理装置１０のタッチパネル３４に表示される、プログラムやコンテンツの購入を行うためのショッピングストア画像１０４の一例を示す図である。ショッピングストア画像１０４の右下には、それぞれが処理に対応付けられる複数の文字列が選択肢として縦一列に並んで配置されたオプションリスト画像１０６が配置されている。当該オプションリスト画像１０６は、ショッピングストア画像１０４にオプションリスト画像１０６が配置されていない際に、上ボタン３８Ｕが押下されると配置されることとなる。ショッピングストア画像１０４の左下には、バックアイコン６４が配置されている。
【０１０２】
図１０Ａに例示するように、ショッピングストア画像１０４がタッチパネル３４に表示されており、強調画像６８が表示されていない際に、いずれかの方向キー３６、又は、右ボタン３８Ｒが押下されると、処理実行部５４は、オプションリスト画像１０６に配置されているいずれかの選択肢を囲む強調画像６８をタッチパネル３４に表示させる。図１０Ｂは、「コード番号を入力する」との文字列が強調画像６８によって囲まれているショッピングストア画像１０４の一例を示す図である。ショッピングストア画像１０４では、オプションリスト画像１０６において最も上に配置されている選択肢がデフォルト選択肢として決定される。
【０１０３】
そして、上方向キー３６Ｕが押下されると、処理実行部５４は、強調画像６８に囲まれる選択肢が、当該選択肢の上に配置されている選択肢に変更されるよう、タッチパネル３４に表示されているショッピングストア画像１０４を更新する。下方向キー３６Ｄが押下されると、処理実行部５４は、強調画像６８に囲まれる選択肢が、当該選択肢の下に配置されている選択肢に変更されるよう、タッチパネル３４に表示されているショッピングストア画像１０４を更新する。
【０１０４】
例えば、いずれかの選択肢が強調画像６８により囲まれている際に、右ボタン３８Ｒが押下されると、処理実行部５４は、当該選択肢に応じた処理（例えば、ダウンロードリストの表示処理、など）を実行する。
【０１０５】
［強調画像の表示態様の変化の一例について］
ここで、強調画像６８が表示されていない状態からいずれかの選択肢を囲む強調画像６８が表示されている状態に至る変化の過程における、強調画像６８の表示態様の変化の一例を説明する。
【０１０６】
図１１Ａ、図１１Ｂ、及び、図１１Ｃは、強調画像６８の表示態様の変化の一例を模式的に示す図である。処理実行部５４は、まず、処理実行部５４は、図１１Ａに示すように、予め選択肢に対応付けられている領域である選択肢対応領域１０８の一部を占める、選択肢対応領域１０８よりも小さな領域に強調画像６８を配置する。このようにして、例えば、選択肢対応領域１０８の一部を占める、選択肢対応領域１０８よりも小さな領域を囲む強調画像６８が配置される。そして、処理実行部５４は、図１１Ｂに示すように、選択肢対応領域１０８を一部に占める、選択肢対応領域１０８よりも大きな領域に強調画像６８が配置されている状態に変化するよう、強調画像６８の大きさを徐々に大きくする。図１１Ｂでは、図１１Ａに示す状態における強調画像６８が破線で表現されている。また、図１１Ｂでは、強調画像６８の大きさの変化が矢印で示されている。このようにして、例えば、選択肢対応領域１０８を一部に占める、選択肢対応領域１０８よりも大きな領域を囲む強調画像６８が配置される。そして、処理実行部５４は、図１１Ｃに示すように、選択肢対応領域１０８に強調画像６８が配置されている状態に変化するよう、強調画像６８の大きさを徐々に小さくする。図１１Ｃでは、図１１Ｂに示す状態における強調画像６８が破線で表現されている。また、図１１Ｃでは、強調画像６８の大きさの変化が矢印で示されている。このようにして、例えば、選択肢対応領域１０８を囲む強調画像６８が配置されることとなる。
【０１０７】
［その他］
なお、以上説明したいずれの処理についても、処理の対象となる画像が限定されるものではない。例えば、システム設定メニュー画像６０に対する処理として説明した処理が、削除対象コンテンツ選択画像７０やその他の画像に対して実行されても構わない。
【０１０８】
本実施形態では、左アナログスティック４２Ｌが所定量以上左に傾けられた際に、処理実行部５４は、左方向キー３６Ｌが押下された際に実行される処理（例えば、強調画像６８により囲まれる選択肢を、当該選択肢の左に配置されている選択肢に変更する処理）を実行する。また、右アナログスティック４２Ｒが所定量以上右に傾けられた際に、処理実行部５４は、右方向キー３６Ｒが押下された際に実行される処理（例えば、強調画像６８により囲まれる選択肢を、当該選択肢の右に配置されている選択肢に変更する処理）を実行する。
【０１０９】
また、本実施形態では、いくつかの操作キー３２については、当該操作キー３２が押下された際に実行される処理が予め割り当てられている。また、本実施形態では、ユーザが、操作キー３２に、当該操作キー３２が押下された際に実行される処理を割り当てることができるようになっている。処理実行部５４は、当該操作キー３２が押下された際に、当該操作キー３２に割り当てられている処理（例えば、動画像を再生する処理、等）を実行する。また、本実施形態では、強調画像６８がタッチパネル３４に表示されていない際に、上述のようにして押下された際に実行される処理が割り当てられている操作キー３２が押下された場合は、いずれかの方向キー３６、又は、右ボタン３８Ｒが押下された場合と同様、処理実行部５４は、強調画像６８をタッチパネル３４に表示させる。
【０１１０】
また、本実施形態では、右アナログスティック４２Ｒの操作に応じて、処理実行部５４は、例えば、タッチパネル３４に表示されている画像の拡大率の変更や、再生されている動画像の再生速度の変更を行う。また、本実施形態では、例えば、Ｌボタン４０ＬやＲボタン４０Ｒの押下に応じて、タッチパネル３４に表示されている情報（コンテンツやページなど）を他の情報に変化させる処理を実行する。
【０１１１】
［変形例］
なお、本発明は上述の実施形態に限定されるものではない。
【０１１２】
例えば、操作キー３２と、操作キー３２が押下された際に実行される処理と、の対応関係は上述のものに限定されない。例えば、下ボタン３８Ｄが押下された際に、処理実行部５４は、強調画像６８により囲まれている選択肢に応じた処理を実行するようにしてもよい。
【０１１３】
また、例えば、複数の操作キー３２に同じ操作内容が設定されていても構わない。例えば、処理実行部５４は、Ｌボタン４０Ｌが押下された場合に、左方向キー３６Ｌが押下された場合に実行される処理（例えば、強調画像６８により囲まれる選択肢を、当該選択肢の左に配置されている選択肢に変更する処理）を実行するようにしてもよい。また、例えば、処理実行部５４は、Ｒボタン４０Ｒが押下された場合に、右方向キー３６Ｒが押下された場合に実行される処理（例えば、強調画像６８により囲まれる選択肢を、当該選択肢の右に配置されている選択肢に変更する処理）を実行するようにしてもよい。
【０１１４】
また、例えば、操作キー３２が押下された際ではなく、操作キー３２が押下された状態から押下されていない状態に変化した際（リリースされた際）に、処理実行部５４が、当該操作キー３２に応じた処理を実行するようにしてもよい。
【０１１５】
また、本実施形態に係る情報処理装置１０において、前面タッチセンサ３０ａの操作入力を受け付けた場合の動作と、背面タッチセンサ３０ｂの操作入力を受け付けた場合の動作と、が異なっていてもよい。例えば、前面タッチセンサ３０ａの検出履歴を、強調表示される選択肢の決定に用い、背面タッチセンサ３０ｂの検出履歴を、強調表示される選択肢の決定に用いないようにしてもよい。具体的には、例えば、複数の選択肢がタッチパネル３４に表示された時点以降の受付日時に関連付けられている、前面タッチセンサ３０ａがタッチされたことを示すタッチフラグが含まれる検出位置データが検出履歴データとして記憶部２２に記憶されている場合は、処理実行部５４は、当該検出位置データに含まれる検出位置座標に基づいて特定される位置に配置されている選択肢を強調表示するようにしてもよい。また、例えば、複数の選択肢がタッチパネル３４に表示された時点以降の受付日時に関連付けられている、前面タッチセンサ３０ａがタッチされたことを示すタッチフラグが含まれる検出位置データが複数存在する場合は、処理実行部５４は、前面タッチセンサ３０ａがタッチされたことを示すタッチフラグが含まれる検出位置データのうちから、例えば、関連付けられている受付日時が最も新しい検出位置データに含まれる検出位置座標に基づいて特定される位置に配置されている選択肢を強調表示するようにしてもよい。
【０１１６】
また、本実施形態を、図１２に示すような、本体部１１０とコントローラ１１２とを備えた据置型ゲーム装置に適用しても構わない。図１２に示す本体部１１０は、例えば、制御部２０、記憶部２２、通信部２４、画像処理部２６を含んでいる。図１２に示す本体部１１０が生成する画像は、本体部１１０に接続されたディスプレイ等の表示部２８に表示される。また、図１２に示す本体部１１０は、コントローラ１１２と通信可能である。図１２に示すコントローラ１１２は、例えば、通信部２４、タッチセンサ３０、操作キー３２を含んでいる。図１２に示す本体部１１０は、コントローラ１１２から受信する、タッチセンサ３０又は操作キー３２に対する操作に応じた操作信号に応じた処理を実行する。また、コントローラ１１２に含まれるタッチセンサ３０での位置と、本体部１１０に接続されたディスプレイ等の表示部２８での位置と、は対応付けられている。図１２に例示する本体部１１０は、上述した情報処理装置１０と同様、表示部２８に選択肢が表示されており、強調表示されている選択肢が存在しない際に、強調表示に対応付けられている操作キー３２の操作入力を受け付けた場合は、タッチセンサ３０における位置の検出履歴に基づいて特定される位置に配置されている選択肢（例えば、上述したような、タッチセンサ３０での検出位置に対応付けられる表示部２８での位置から最も近い位置に配置されている選択肢、など）を強調表示させ、強調表示されている選択肢が存在する際に、強調表示されている選択肢に応じた処理の実行に対応付けられている操作キー３２の操作入力を受け付けた場合は、強調表示されている選択肢に応じた処理を実行するようにしてもよい。
【０１１７】
また、上述の具体的な文字列や数値、並びに、図面中の具体的な文字列は例示であり、これらの文字列や数値には限定されない。
【符号の説明】
【０１１８】
１０  情報処理装置、１２  筐体、２０  制御部、２２  記憶部、２４  通信部、２６  画像処理部、２８  表示部、３０  タッチセンサ、３０ａ  前面タッチセンサ、３０ｂ  背面タッチセンサ、３２  操作キー、３４  タッチパネル、３６  方向キー、３６Ｕ  上方向キー、３６Ｄ  下方向キー、３６Ｌ  左方向キー、３６Ｒ  右方向キー、３８  前面ボタン、３８Ｕ  上ボタン、３８Ｄ  下ボタン、３８Ｌ  左ボタン、３８Ｒ  右ボタン、３８Ｃ  コマンドボタン、３８ＳＴ  スタートボタン、３８ＳＥ  セレクトボタン、４０  上側面ボタン、４０Ｌ  Ｌボタン、４０Ｒ  Ｒボタン、４２  アナログスティック、４２Ｌ  左アナログスティック、４２Ｒ  右アナログスティック、４４  グリップ、５０  検出結果受付部、５２  操作入力受付部、５４  処理実行部、６０  システム設定メニュー画像、６２  設定項目画像、６４  バックアイコン、６６  チェックボックス、６８  強調画像、７０  削除対象コンテンツ選択画像、７２  コンテンツ対応画像、７４  キャンセルアイコン、７６  全選択アイコン、７８  削除アイコン、８０  パスワード入力画像、８２  フォーム、８４  ＯＫアイコン、８６  ホームメニュー画像、８８  プログラム対応アイコン、９０  ライブエリア画像、９２  ＷＷＷアイコン、９４  ヘルプアイコン、９６  更新アイコン、９８  スタート画像、１００  処理対応画像、１０２  日付・時刻設定画像、１０４  ショッピングストア画像、１０６  オプションリスト画像、１０８  選択肢対応領域、１１０  本体部、１１２  コントローラ。
【図１Ａ】
2014044593.tif 000003
【図１Ｂ】
2014044593.tif 000004
【図２】
2014044593.tif 000005
【図３】
2014044593.tif 000006
【図４Ａ】
2014044593.tif 000007
【図４Ｂ】
2014044593.tif 000008
【図５Ａ】
2014044593.tif 000009
【図５Ｂ】
2014044593.tif 000010
【図６Ａ】
2014044593.tif 000011
【図６Ｂ】
2014044593.tif 000012
【図７Ａ】
2014044593.tif 000013
【図７Ｂ】
2014044593.tif 000014
【図８Ａ】
2014044593.tif 000015
【図８Ｂ】
2014044593.tif 000016
【図８Ｃ】
2014044593.tif 000017
【図８Ｄ】
2014044593.tif 000018
【図９Ａ】
2014044593.tif 000019
【図９Ｂ】
2014044593.tif 000020
【図１０Ａ】
2014044593.tif 000021
【図１０Ｂ】
2014044593.tif 000022
【図１１Ａ】
2014044593.tif 000023
【図１１Ｂ】
2014044593.tif 000024
【図１１Ｃ】
2014044593.tif 000025
【図１２】
2014044593.tif 000026